(57)【特許請求の範囲】
【請求項１】
洗い場床の端縁に沿うように洗い場床の端縁部またはその近傍に排水口が凹設され、該排水口に向かって排水を導く排水経路が前記洗い場床の端縁に沿うように設けられた浴室ユニットの洗い場部構造において、
洗い場床の浴槽側の端縁に沿うように洗い場部と浴槽受部とを仕切る仕切り壁が立ち上げられ、前記排水経路が前記仕切り壁の下端を始端として該仕切り壁から離れる方向に設けられた底に向かって徐々に下降する傾斜排水面を備えており、該傾斜排水面の傾斜角度が水平面に対して４５°以下であることを特徴とする浴室ユニットの洗い場部構造。
【請求項２】
洗い場床が多角形をしていて、排水口が洗い場床の一つの端縁側に形成されており、洗い場床の残りの端縁が水平かつその高さが同じ高さに形成されているとともに、洗い場床面が残りのすべての端縁からそれぞれ前記排水口に向かって傾斜する傾斜床面を備えている請求項１に記載の浴室ユニットの洗い場部構造。
【発明の詳細な説明】
【０００１】
【発明の属する技術分野】
本発明は、浴室ユニットの洗い場部構造に関する。
【０００２】
【従来の技術】
浴室ユニットは、洗い場部が浴槽受部を一体に備えた防水パンによって形成される場合、あるいは、浴槽受部となる浴槽パンと接続して用いられる洗い場パンによって形成される場合がある。
【０００３】
ところで、近年、これら防水パンあるいは洗い場パンは、ドアの設置位置等が異なる他の浴室ユニットとの共通化を図るため、洗い場床で使用した湯や水を排水する排水口を、洗い場床の浴槽側端縁部中央、すなわち、浴槽のまたぎ込み部近傍の中央に設け、洗い場床の他の端縁をすべて水平かつ同じ高さにするとともに、洗い場床面を他の各端縁を始端部としてそれぞれ排水孔に向かって傾斜する複数の傾斜面を連接した形状に形成し、洗い場で使用した湯や水を排水口に向かって排水できるようにしている（特開平１１−２２９６４２号公報参照）。
【０００４】
また、浴槽からの出入りの際に入浴者の足が排水孔内に入り込んで怪我をしたりすることがないように、排水口の上面が蓋によって覆われているとともに、排水口の設けられた洗い場床の端縁には、排水溝を設けず、床の傾斜のみで排水を洗い場床の端縁に沿うように立ち上がる浴槽受部との仕切り壁に沿って排水口方向へ流れる排水経路を設けている。
【０００５】
しかし、上記従来のような洗い場部の構造では、洗い場床に泡立った石鹸水を流した場合、石鹸水が仕切り壁の壁面に沿って流れるため、湯や水のみが先に流れ石鹸の泡が仕切り壁の壁面に付着して残ってしまい。浴室内の見栄えが悪いとともに、入浴者が浴槽への出入りの際に足に石鹸の泡がついたり、泡で滑って転んだりする恐れもある。
一方、浴槽のエプロンの下方に排水溝を設け、この排水溝を介して排水口に排水を流すようにする方法を採用した浴室ユニットもあるが、このような浴室ユニットの場合、上記泡の問題がないものの、排水溝が、浴槽のエプロンによって隠れているため、排水溝内の清掃がしにくいという問題がある。
【０００６】
【発明が解決しようとする課題】
本発明は、このような事情に鑑みて、湯や水とともに、石鹸の泡がスムーズに流れ、排水経路に沿って立ち上がる仕切り壁等に付着することがなく、しかも、浴室内の清掃性に優れた浴室ユニットの洗い場部構造を提供することを目的としている。
【０００７】
【課題を解決するための手段】
本発明にかかる浴室ユニットの洗い場部構造は、このような目的を達成するために、洗い場床の端縁に沿うように洗い場床の端縁部またはその近傍に排水口が凹設され、該排水口に向かって排水を導く排水経路が前記洗い場床の端縁に沿うように設けられた浴室ユニットの洗い場部構造において、洗い場床の浴槽側の端縁に沿うように洗い場部と浴槽受部とを仕切る仕切り壁が立ち上げられ、前記排水経路が前記仕切り壁の下端を始端として該仕切り壁から離れる方向に設けられた底に向かって徐々に下降する傾斜排水面を備えており、該傾斜排水面の傾斜角度が水平面に対して４５°以下である構成とした。
【０００８】
本発明の浴室ユニットの洗い場部構造は、傾斜排水面の傾斜角度が水平面に対して４５°以下であり、より好ましくは３０°以下である。また、請求項２のように、洗い場床が多角形をしていて、排水口が洗い場床の一つの端縁側に形成されており、洗い場床の残りの端縁が水平かつその高さが同じ高さに形成されているとともに、洗い場床面が残りのすべての端縁からそれぞれ前記排水口に向かって傾斜する傾斜床面を備えていることが好ましい。
【０００９】
【発明の実施の形態】
以下に、本発明の実施の形態を、図面を参照しつつ詳しく説明する。
図１は本発明にかかる浴室ユニットの洗い場部構造の１つの実施の形態をあらわしている。
【００１０】
この浴室ユニットＡは、洗い場部１が浴槽２を下側から受けるように設けられた浴槽パン（図示せず）と連接される洗い場パン３（図２および図３に示す）によって形成されていて、その洗い場床３１の浴槽２側の端縁３２中央に洗い場床３１の一部を切り欠くように排水口３７が設けられている。そして、排水口３７は、蓋３７ａによって覆われるようになっている。
【００１１】
洗い場床３１は、略矩形をしていて、その床面が、浴槽２側の端縁３２を除く、他の３つの端縁３３〜３５からそれぞれ排水口３７に向かう３つの傾斜床面３１ａ〜３１ｃから構成されているとともに、３つの端縁３３〜３５が水平かつその高さが同じ位置にくるようになっている。
また、洗い場パン３は、図１〜図４に示すように、洗い場床３１の浴槽２側の端縁３２に沿って、洗い場部と浴槽受部とを仕切るように仕切り壁３６が立ち上がっていて、この仕切り壁３６に沿って排水経路３８が設けられている。
【００１２】
排水経路３８は、端縁３２と端縁３３とのコーナー部３９ａおよび端縁３２と端縁３５とのコーナー部３９ｂからそれぞれ排水口３７に向かって傾斜しているとともに、その底３８ａが、コーナー部３９ａ（３９ｂ）から排水口３７に向かって徐々に下降している。
【００１３】
また、排水経路３８は、図４に示すように、仕切り壁３６の下端から底３８ａに向かって水平面に対して４５°以下の傾斜角度で下降する傾斜排水面３８ｂを備えている。
なお、図１中、２１は、仕切り壁３６に下端が受けられたエプロンである。
【００１４】
この洗い場部の構造によれば、洗い場床３１上の傾斜床面３１ａ〜３１ｃの部分に流れ落ちた湯や水は、傾斜床面３１ａ〜３１ｃの傾斜に沿って排水孔３７方向に流れる。一方、仕切り壁３６の近傍に流れ落ちた湯や水は、傾斜排水面３８ｂの傾斜によって仕切り壁３６から遠ざかりながら、排水経路３８の底３８ａに沿って排水口３７に流れ込む。
すなわち、石鹸を含み泡立った湯や水を流しても、泡が仕切り壁３６に付着することなく、湯や水とともにスムーズに排水口３７に流れ込む。
【００１５】
したがって、浴室内が常に見栄えのよい状態に保たれ、しかも、入浴者が、浴槽への出入りの際に泡を踏んだり、泡で滑ったりすることがない。
【００１６】
また、洗い場パン３は、３つの端縁３３〜３５が水平かつ同じ高さになるように形成されているので、出入口の位置が異なる浴室ユニットにも使用することができ、浴室ユニット全体の製造コストを低減することができる。
さらに、排水経路３８が浴室内に露出しているため、排水経路３８部分の清掃が容易で、浴室内を清潔に保つことができる。
【００１７】
本発明にかかる洗い場部の構造は、上記の実施の形態に限定されない。たとえば、上記の実施の形態では、排水経路が仕切り壁に沿って設けられていたが、シャワーユニット等が設けられた化粧カウンター等に沿って設けるようにしても構わない。
また、上記の実施の形態では、仕切り壁の下端から傾斜排水面が底に向かって傾斜するように設けられていたが、たとえば、仕切り壁に沿って浅い排水溝を形成し、その底面を溝の両側壁下端から中央の底に向かって徐々に傾斜する傾斜排水面としても構わない。
【００１８】
【発明の効果】
本発明にかかる浴室ユニットの洗い場部構造は、以上のように構成されているので、石鹸の泡が排水経路に沿って立ち上がる仕切り壁等に付着することがなく常に湯や水とともにスムーズに流れる。また、傾斜排水面の傾斜角度が水平面に対して４５°以下であるので、より確実に石鹸の泡を流すことができる。
したがって、浴室内を見栄えよく保つことができるとともに、排水経路が浴槽のまたぎ込み部に設けた場合も、入浴者が石鹸の泡で足を滑らせて怪我をしたりする事故を防止することができる。
【００１９】
また、排水経路が浴室内に露出しているので、排水経路部分の清掃が容易で、浴室内を清潔に保つことができる。
【００２０】
さらに、請求項２のような構成にすれば、洗い場パンあるいは防水パンを出入口の位置等が異なる他の浴室ユニットと共通で使うことができ、製造コストの低減を図ることができる。
【図面の簡単な説明】
【図１】本発明にかかる浴室ユニットの洗い場部構造の１つの実施の形態をあらわす浴室内の斜視図である。
【図２】図１の浴室ユニットの洗い場パンの平面図である。
【図３】図２のＹ−Ｙ線断面図である。
【図４】図１のＸ−Ｘ線断面図である。
【符号の説明】
Ａ  浴室ユニット
３  洗い場パン（洗い場部）
３１  洗い場床
３１ａ〜３１ｃ  傾斜床面
３２〜３５  端縁（洗い場床）
３６  仕切り壁
３７  排水口
３８  排水経路
３８ａ  底
３８ｂ  傾斜排水面
【図１】
0004351353.tif 000002
【図２】
0004351353.tif 000003
【図３】
0004351353.tif 000004
【図４】
0004351353.tif 000005